(57)【要約】【課題】実施中の通信に関わる状況を、通信相手にいち早く知らせること。【解決手段】１つの態様において、電子機器（例えば、携帯電話１Ａ）は、第１の通信手段または第２の通信手段を用いて通信を行う通信部と、自機に対する着信と、前記第１の通信手段により無線接続されている他の機器に対する着信の通知とが発生した場合に、音および振動の少なくとも一方を含む報知態様を変更して報知を行うコントローラとを有する。例えば、電子機器（例えば、携帯電話１Ａ）は、自機に対する着信と、携帯電話１Ｂに対する着信の通知とが発生すると、自機への着信に対応する音と、携帯電話１Ｂに対する着信の通知に対応する音とを一定時間ごとに交互に出力する。【選択図】図１
2014072757.tif 000002
【特許請求の範囲】
【請求項１】
第１の通信手段または第２の通信手段を用いて通信を行う通信部と、
自機に対する着信と、前記第１の通信手段により無線接続されている他の機器に対する着信の通知とが発生した場合に、音および振動の少なくとも一方を含む報知態様を変更して報知を行うコントローラと
を有する電子機器。
【請求項２】
前記コントローラは、前記自機に対する着信に対応する報知態様、及び前記通知に対応する報知態様を利用して報知する請求項１に記載の電子機器。
【請求項３】
前記コントローラは、前記自機に対する着信に対応する報知態様、及び前記通知に対応する報知態様を交互に利用して報知する請求項１に記載の電子機器。
【請求項４】
前記コントローラは、ユーザからの操作受付時に報知されている報知態様に対応する前記自機に対する着信、又は前記通知に対応する着信に応答する請求項３に記載の電子機器。
【請求項５】
前記コントローラは、前記自機に対する着信に対応する報知態様、及び前記通知に対応する報知態様を合成して報知する請求項２に記載の電子機器。
【請求項６】
前記コントローラは、所定のボタン操作に応じて、前記自機に対する着信または前記通知に対応する着信に対して応答するかを決定する請求項５に記載の電子機器。
【請求項７】
前記コントローラは、所定のタッチジェスチャに応じて、前記第１の通信手段による通信により前記通信相手に関する情報を受信し、前記自機に対する着信または前記通知に対応する着信に応答するかを決定する請求項５に記載の電子機器。
【請求項８】
前記自機に対する着信と、前記通知とが発生した場合に、前記着信または前記通知のいずれか一方を優先して報知する請求項１に記載の電子機器。
【請求項９】
第１の通信手段または第２の通信手段を用いて通信を行う通信部を有する電子機器によって実行される制御方法であって、
自機に対する着信と、前記第１の通信手段により無線接続されている他の機器に対する着信の通知とが発生したか否かを判定するステップと、
前記自機に対する着信と、前記通知とが発生した場合に、音および振動の少なくとも一方を含む報知態様を変更して報知を行うステップと
を含む制御方法。
【請求項１０】
第１の通信手段または第２の通信手段を用いて通信を行う通信部を有する電子機器に、
自機に対する着信と、前記第１の通信手段により無線接続されている他の機器に対する着信の通知とが発生したか否かを判定するステップと、
前記自機に対する着信と、前記通知とが発生した場合に、音および振動の少なくとも一方を含む報知態様を変更して報知を行うステップと
を実行させる制御プログラム。
【請求項１１】
第１の通信手段または第２の通信手段を用いて通信を行う通信部と、
自機に対する着信と、前記第１の通信手段により無線接続されている他の機器に対する着信の通知とが発生した場合に、前記着信に対応する音および振動の少なくとも一方を含む報知態様と、前記通知に対応する音および振動の少なくとも一方を含む報知態様とを利用して報知を行うコントローラと
を有する電子機器。
【発明の詳細な説明】
【技術分野】
【０００１】
本出願は、電子機器、制御方法及び制御プログラムに関する。
【背景技術】
【０００２】
携帯電話機への着信があった場合に、その着信に係る通話を他の電子機器を用いて行う技術が知られている。例えば、Ｂｌｕｅｔｏｏｔｈ（登録商標）規格の近距離無線通信の無線モジュールを搭載したワイヤレスヘッドセット型の分離型携帯電話機が提案されている。この技術は、ヘッドセットを耳に装着して電話機本体はカバンの中に入れたままの状態で電話をかけたり受けたりすることを可能にしている（特許文献１参照）。
【先行技術文献】
【特許文献】
【０００３】
【特許文献１】特開２００３―１３４２２４号公報
【発明の概要】
【発明が解決しようとする課題】
【０００４】
近年、通話料を抑えることを目的として、ヘッドセットではなく、通話料の安い別の携帯電話機（以下、子機）を主たる携帯電話機（以下、親機）と近距離無線通信によりペアリングし、この子機を用いて、親機に対する着信に係る通話を行うものもある。子機は、単体で通話可能な電話機能を有するので、自機に対する着信の通知タイミングと、親機に対する着信の通知タイミングとが重なった場合、後の着信の存在を見落としてしまう恐れがある。このようなことから、着信の存在の見落としを防止することができる電子機器、制御方法及び制御プログラムに対する必要性がある。
【課題を解決するための手段】
【０００５】
１つの態様に係る電子機器は、第１の通信手段または第２の通信手段を用いて通信を行う通信部と、自機に対する着信と、前記第１の通信手段により無線接続されている他の機器に対する着信の通知とが発生した場合に、音および振動の少なくとも一方を含む報知態様を変更して報知を行うコントローラとを有する。
【０００６】
１つの態様に係る制御方法は、第１の通信手段または第２の通信手段を用いて通信を行う通信部を有する電子機器によって実行される制御方法であって、自機に対する着信と、前記第１の通信手段により無線接続されている他の機器に対する着信の通知とが発生したか否かを判定するステップと、前記自機に対する着信と、前記通知とが発生した場合に、音および振動の少なくとも一方を含む報知態様を変更して報知を行うステップとを含む。
【０００７】
１つの態様に係る制御プログラムは、第１の通信手段または第２の通信手段を用いて通信を行う通信部を有する電子機器に、自機に対する着信と、前記第１の通信手段により無線接続されている他の機器に対する着信の通知とが発生したか否かを判定するステップと、前記自機に対する着信と、前記通知とが発生した場合に、音および振動の少なくとも一方を含む報知態様を変更して報知を行うステップとを実行させる。
【図面の簡単な説明】
【０００８】
【図１】図１は、実施形態に係る携帯電話にて実行される処理の概要を示す図である。
【図２】図２は、実施形態に係る携帯電話にて実行される処理の概要を示す図である。
【図３】図３は、実施形態に係る携帯電話にて実行される処理の概要を示す図である。
【図４】図４は、実施形態に係る携帯電話のブロック図である。
【図５】図５は、実施形態に係る携帯電話による処理手順の一例を示す図である。
【図６】図６は、実施形態に係る携帯電話による処理手順の一例を示す図である。
【図７】図７は、実施形態に係る携帯電話による処理手順の一例を示す図である。
【図８】図８は、実施形態に係る携帯電話による処理手順の一例を示す図である。
【図９】図９は、実施形態に係る携帯電話による処理手順の一例を示す図である。
【図１０】図１０は、実施形態に係る携帯電話による処理手順の一例を示す図である。
【発明を実施するための形態】
【０００９】
本発明を実施するための実施形態を、図面を参照しつつ詳細に説明する。以下では、電子機器の例として、携帯電話について説明する。
【００１０】
図１〜３を参照しながら、実施形態に係る制御方法の一例について説明する。図１〜３は、実施形態に係る携帯電話にて実行される処理の概要を示す図である。図１〜３に示す携帯電話１Ａおよび携帯電話１Ｂは、Ｂｌｕｅｔｏｏｔｈ（登録商標）などの近距離無線接続を通じて近距離無線通信を行うことができる。図１〜３に示す携帯電話１Ａは、近距離無線接続を通じて、携帯電話１Ｂから転送される着信を受け付け、携帯電話１Ｂに対する着信に係る通話を行うことができる。図１〜３に示す携帯電話１Ａおよび携帯電話１Ｂは、基地局１００との無線通信を介して、公衆回線ネットワークに接続され、公衆回線ネットワークを通じて、それぞれ独立して通話などの通信を行うことができる。
【００１１】
図１に示す携帯電話１Ａと携帯電話１Ｂとの間には、近距離無線接続が確立されており、近距離無線通信が可能な状態にある。図１に示すように、携帯電話１Ａは、自機に対する着信（ステップＳ１１）と、携帯電話１Ｂに対する着信の通知（ステップＳ１２）とが発生すると、自機への着信に対応する音と、携帯電話１Ｂに対する着信の通知に対応する音とを一定時間ごとに交互に出力する（ステップＳ１３）。あるいは、携帯電話１Ａは、ステップＳ１３において、自機に対する着信に対応する音と、携帯電話１Ｂに対する着信の通知に対応する音とを合成した音を出力する。
【００１２】
図２に示す携帯電話１Ａと携帯電話１Ｂとの間には、近距離無線接続が確立されており、近距離無線通信が可能な状態にある。図２に示すように、携帯電話１Ａは、自機に対する着信（ステップＳ２１）と、携帯電話１Ｂに対する着信の通知（ステップＳ２２）とが発生すると、自機への着信に対応する振動パターンによる振動と、携帯電話１Ｂに対する着信の通知に対応する振動パターンによる振動とを一定時間ごとに交互に実行する（ステップＳ２３）。あるいは、携帯電話１Ａは、ステップＳ２３において、自機に対する着信に対応する振動パターンと、携帯電話１Ｂに対する着信の通知に対応する振動パターンとを合成した振動を実行する。
【００１３】
図３に示す携帯電話１Ａと携帯電話１Ｂとの間には、近距離無線接続が確立されており、近距離無線通信が可能な状態にある。図３に示すように、携帯電話１Ａは、自機に対する着信（ステップＳ３１）と、携帯電話１Ｂに対する着信の通知（ステップＳ３２）とが発生すると、自機への着信に対応する音の出力と、携帯電話１Ｂに対する着信の通知に対応する振動パターンによる振動とを一定時間ごとに交互に実行する（ステップＳ３３）。あるいは、携帯電話１Ａは、ステップＳ３３において、自機に対する着信に対応する振動パターンによる振動と、携帯電話１Ｂに対する着信の通知に対応する音の出力とを一定時間ごとに交互に実行する。あるいは、携帯電話１Ａは、ステップＳ３３において、自機への着信に対応する音の出力と、携帯電話１Ｂに対する着信の通知に対応する振動パターンによる振動とを同時に実行する。あるいは、携帯電話１Ａは、ステップＳ３３において、自機に対する着信に対応する振動パターンによる振動と、携帯電話１Ｂに対する着信の通知に対応する音の出力とを同時に実行する。
【００１４】
図１〜図３に示す携帯電話１Ａは、自機に対する着信のタイミングと、携帯電話１Ｂに対する着信の通知タイミングとが重なった場合であっても、着信の存在の見落としを防止することができる。
【００１５】
図４を参照しながら、実施形態に係る携帯電話１Ａの機能的な構成について説明する。図４は、実施形態に係る携帯電話のブロック図である。図４に示すように、携帯電話１Ａは、ディスプレイ２と、ボタン３と、照度センサ４と、近接センサ５と、通信ユニット６ａと、通信ユニット６ｂと、レシーバ７と、マイク８と、ストレージ９と、コントローラ１０と、スピーカ１１と、カメラ１２と、姿勢検出ユニット１５と、バイブレータ１８と、ランプ１９と、タッチスクリーン２１とを備える。
【００１６】
ディスプレイ２は、液晶ディスプレイ（ＬＣＤ：Ｌｉｑｕｉｄ  Ｃｒｙｓｔａｌ  Ｄｉｓｐｌａｙ）、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ）、又は無機ＥＬディスプレイ（ＩＥＬＤ：Ｉｎｏｒｇａｎｉｃ  Ｅｌｅｃｔｒｏ−Ｌｕｍｉｎｅｓｃｅｎｃｅ  Ｄｉｓｐｌａｙ）等の表示デバイスを備える。ディスプレイ２は、文字、画像、記号、及び図形等を表示する。
【００１７】
ボタン３は、利用者からの操作入力を受け付ける。ボタン３の数は、単数であっても、複数であってもよい。
【００１８】
照度センサ４は、携帯電話１Ａの周囲光の照度を検出する。照度は、光の強さ、明るさ、又は輝度を示す。照度センサ４は、例えば、ディスプレイ２の輝度の調整に用いられる。
【００１９】
近接センサ５は、近隣の物体の存在を非接触で検出する。近接センサ５は、磁界の変化又は超音波の反射波の帰還時間の変化等に基づいて物体の存在を検出する。近接センサ５は、例えば、ディスプレイ２が顔に近づけられたことを検出する。照度センサ４及び近接センサ５は、一つのセンサとして構成されていてもよい。照度センサ４は、近接センサとして用いられてもよい。
【００２０】
通信ユニット６ａは、公衆回線ネットワークなどのネットワークを通じて、データの送受信、通話などの通信を行うことができるように構成されている。通信ユニット６ａがサポートする通信規格には、例えば、２Ｇ、３Ｇ、４Ｇ等のセルラーフォンの通信規格がある。セルラーフォンの通信規格としては、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。通信ユニット６ａは、上述した通信規格の１つ又は複数をサポートしていてもよい。
【００２１】
通信ユニット６ｂは、近距離無線通信を通じて、データの送受信、通話などの通信を行うことができるように構成されている。通信ユニット６ｂがサポートする近距離無線の通信規格としては、例えば、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）、ＷＰＡＮ（Ｗｉｒｅｌｅｓｓ  Ｐｅｒｓｏｎａｌ  Ａｒｅａ  Ｎｅｔｗｏｒｋ）等がある。ＷＰＡＮには、例えば、ＺｉｇＢｅｅ（登録商標）が含まれる。通信ユニット６ｂは、上述した通信規格の１つ又は複数をサポートしていてもよい。
【００２２】
レシーバ７は、音出力部である。レシーバ７は、コントローラ１０から送信される音信号を音として出力する。レシーバ７は、例えば、通話時に相手の声を出力するために用いられる。マイク８は、音入力部である。マイク８は、利用者の音声等を音信号へ変換してコントローラ１０へ送信する。
【００２３】
ストレージ９は、プログラム及びデータを記憶する。ストレージ９は、コントローラ１０の処理結果を一時的に記憶する作業領域としても利用される。ストレージ９は、半導体記憶媒体、及び磁気記憶媒体等の任意の非一過的（ｎｏｎ−ｔｒａｎｓｉｔｏｒｙ）な記憶媒体を含んでよい。ストレージ９は、複数の種類の記憶媒体を含んでよい。ストレージ９は、メモリカード、光ディスク、又は光磁気ディスク等の可搬の記憶媒体と、記憶媒体の読み取り装置との組み合わせを含んでよい。ストレージ９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００２４】
ストレージ９に記憶されるプログラムには、フォアグランド又はバックグランドで実行されるアプリケーションと、アプリケーションの動作を支援する制御プログラムとが含まれる。フォアグランドで実行されるアプリケーションは、例えば、ディスプレイ２に画面が表示される。制御プログラムには、例えば、ＯＳが含まれる。アプリケーション及び制御プログラムは、通信ユニット６による無線通信又は非一過的な記憶媒体を介してストレージ９にインストールされてもよい。
【００２５】
ストレージ９は、例えば、制御プログラム９Ａ、通話アプリケーション９Ｂ、メールアプリケーション９Ｃ、報知関連データ９Ｙ、応答関連データ９Ｚを記憶する。
【００２６】
通話アプリケーション９Ｂは、無線通信による通話のための通話機能を提供する。メールアプリケーション９Ｃは、電子メールの作成、送信、受信、及び表示等のための電子メール機能を提供する。
【００２７】
報知関連データ９Ｙは、携帯電話１Ａの報知に関連する各種の設定、及び処理に関する情報を含む。報知関連データ９Ｙには、自機に対する着信をユーザに音で報知するときの音ファイル、及び携帯電話１Ｂに対する着信の通知をユーザに報知するときの音ファイルが含まれる。報知関連データ９Ｙには、自機に対する着信をユーザに振動で報知するときの振動パターンに関する情報、及び携帯電話１Ｂに対する着信の通知をユーザに振動で報知するときの振動パターンに関する情報が含まれる。報知関連データ９Ｙには、自機に対する着信があったときに実行する報知態様に関する情報が含まれる。自機に対する着信があったときに実行する報知態様には、音の出力、振動パターンによる振動が含まれる。報知関連データ９Ｙには、自機に対する着信と、携帯電話１Ｂに対する着信の通知とが発生したときに実行する報知態様に関する情報が含まれる。自機に対する着信と、携帯電話１Ｂに対する着信の通知とが発生したときに実行する報知態様には、自機に対する着信に対応する音と、携帯電話１Ｂに対する着信の通知に対応する音を一定時間ごとに交互に出力する報知態様が含まれる。自機に対する着信と、携帯電話１Ｂに対する着信の通知とが発生したときに実行する報知態様には、自機に対する着信に対応する振動パターンによる振動と、携帯電話１Ｂに対する着信の通知に対応する振動パターンによる振動を一定時間ごとに交互に実行する報知態様が含まれる。自機に対する着信と、携帯電話１Ｂに対する着信の通知とが発生したときに実行する報知態様には、自機に対する着信に対応する音と、携帯電話１Ｂに対する着信の通知に対応する音とを合成して出力する報知態様が含まれる。自機に対する着信と、携帯電話１Ｂに対する着信の通知とが発生したときに実行する報知態様には、自機に対する着信に対応する振動パターンと、携帯電話１Ｂに対する着信の通知に対応する振動パターンとを合成した振動を実行する報知態様が含まれる。携帯電話１Ａから出力される、携帯電話１Ｂに対する着信の通知に対応する音は、携帯電話１Ｂにおいて着信時に用いられる音と同一であっても、同一でなくてもよい。携帯電話１Ａにて実行される、携帯電話１Ｂに対する着信の通知に対応する振動パターンは、携帯電話１Ｂにおいて着信時に用いられる振動パターンと同一であっても、同一でなくてもよい。すなわち、携帯電話１Ａに対する着信と、携帯電話１Ｂに対する着信の通知とが発生していることを、ユーザが認識可能な態様であれば、どのような音、あるいは振動パターンを用いてもよい。ユーザは、上記の複数の報知態様の中から、どの報知態様を利用するかを予め設定でき、任意に変更できる。
【００２８】
応答関連データ９Ｚは、携帯電話１Ａにおける着信応答に関連する各種の設定、及び処理に関する情報を含む。応答関連データ９Ｚには、自機に対する着信と、携帯電話１Ｂに対する着信の通知とが発生したときに、自機に対する着信と、携帯電話１Ｂに対する着信の通知のどちらに応答するかを決定するための設定、及び処理に関する情報が含まれる。応答関連データ９Ｚには、応答操作の受付時に出力中の音に対応する着信に応答するための情報が含まれる。応答関連データ９Ｚには、応答操作の受付時に実行中の振動パターンに対応する着信に応答するための情報が含まれる。応答関連データ９Ｚには、応答操作の内容に従って、応答対象を決定するための情報が含まれる。応答操作の内容には、所定のボタン操作、所定のタッチジェスチャなどが含まれる。応答関連データ９Ｚには、応答操作の受付時に実行中の処理に対応する着信への応答を決定するための情報が含まれる。ユーザは、応答操作の内容を予め設定でき、任意に変更できる。応答操作の内容は、自機に対する着信に対応する音と携帯電話１Ｂに対する着信の通知に対応する音を合成して出力する報知態様（図７参照）、あるいは自機に対する着信に対応する振動パターンと携帯電話１Ｂに対する着信の通知に対応する振動パターンとを合成して実行する報知態様（図８）が設定されている場合に、自機または携帯電話１Ｂに対する着信のどちらに応答するかを決定する際に用いられる。
【００２９】
制御プログラム９Ａは、携帯電話１Ａを稼働させるための各種制御に関する機能を提供する。例えば、制御プログラム９Ａは、通信ユニット６ａ等を制御することによって、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等を用いた通信を実現させるための機能を提供する。例えば、制御プログラム９Ａは、通信ユニット６ｂ等を制御することによって、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）、ＷＰＡＮ（Ｗｉｒｅｌｅｓｓ  Ｐｅｒｓｏｎａｌ  Ａｒｅａ  Ｎｅｔｗｏｒｋ）等を用いた近距離無線通信を実現させるための機能を提供する。例えば、制御プログラム９Ａは、例えば、通信ユニット６ａ及びマイク８等を制御することによって、通話を実現させるための機能を提供する。制御プログラム９Ａにより提供される機能は、通話を実現させる場合、通話アプリケーション９Ｂ及びメールアプリケーション９Ｃ等の他のプログラムが提供する機能と組み合わせて利用されることがある。
【００３０】
さらに、制御プログラム９Ａは、自機に対する着信と、通信ユニット６ｂにより近距離無線接続されている携帯電話１Ｂに対する着信の通知とが発生した場合に、音および振動の少なくとも一方を含む報知態様を変更して報知を行う機能を提供する。
【００３１】
さらに、制御プログラム９Ａには、自機に対する着信と、携帯電話１Ｂに対する着信の通知のどちらに応答するかを決定するための機能を提供する。
【００３２】
コントローラ１０は、演算処理装置である。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−ｃｈｉｐ）、ＭＣＵ（Ｍｉｃｒｏ  Ｃｏｎｔｒｏｌ  Ｕｎｉｔ）、及びＦＰＧＡ（Ｆｉｅｌｄ−Ｐｒｏｇｒａｍｍａｂｌｅ  Ｇａｔｅ  Ａｒｒａｙ）を含むが、これらに限定されない。コントローラ１０は、携帯電話１Ａの動作を統括的に制御して各種の機能を実現する。
【００３３】
具体的には、コントローラ１０は、ストレージ９に記憶されているデータを必要に応じて参照しつつ、ストレージ９に記憶されているプログラムに含まれる命令を実行する。コントローラ１０は、データ及び命令に応じて機能部を制御し、それによって各種機能を実現する。機能部は、例えば、ディスプレイ２、通信ユニット６、レシーバ７、マイク８、スピーカ１１、バイブレータ１８などを含むが、これらに限定されない。コントローラ１０は、検出部の検出結果に応じて、制御を変更することがある。検出部は、例えば、ボタン３、照度センサ４、近接センサ５、カメラ１２、姿勢検出ユニット１５、及びタッチスクリーン２１を含むが、これらに限定されない。
【００３４】
コントローラ１０は、制御プログラム９Ａを実行することにより、自機に対する着信と、通信ユニット６ｂにより近距離無線接続されている携帯電話１Ｂに対する着信の通知とが発生した場合に、音および振動の少なくとも一方を含む報知態様を変更して報知を行う処理を実現する。コントローラ１０は、自機に対する着信と、通信ユニット６ｂにより近距離無線接続されている携帯電話１Ｂに対する着信の通知とが発生した場合に、例えば、自機への着信に対応する音と、携帯電話１Ｂに対する着信の通知に対応する音とを一定時間ごとに交互に出力する処理を実現する。あるいは、コントローラ１０は、自機に対する着信に対応する音と、携帯電話１Ｂに対する着信の通知に対応する音とを合成した音を出力する処理を実現する。あるいは、自機への着信に対応する振動パターンによる振動と、携帯電話１Ｂに対する着信の通知に対応する振動パターンによる振動とを一定時間ごとに交互に実行する処理を実現する。あるいは、コントローラ１０は、自機に対する着信に対応する振動パターンと、携帯電話１Ｂに対する着信の通知に対応する振動パターンとを合成した振動を実行する処理を実現する。あるいは、コントローラ１０は、自機への着信に対応する音の出力と、携帯電話１Ｂに対する着信の通知に対応する振動パターンによる振動とを一定時間ごとに交互に実行する処理を実現する。あるいは、コントローラ１０は、自機に対する着信に対応する振動パターンによる振動と、携帯電話１Ｂに対する着信の通知に対応する音の出力とを一定時間ごとに交互に実行する処理を実現する。
【００３５】
さらに、コントローラ１０は、制御プログラム９Ａを実行することにより、自機に対する着信と、携帯電話１Ｂに対する着信の通知のどちらに応答するかを決定する処理を実現する。コントローラ１０は、例えば、応答操作の受付時に出力中の音に対応する着信に応答する処理を実現する。あるいは、コントローラ１０は、応答操作の受付時に実行中の振動パターンに対応する着信に応答する処理を実現する。あるいは、コントローラ１０は、応答操作の内容に対応する着信に応答する処理を実現する。応答操作の内容には、所定のボタン操作、所定のタッチジェスチャなどが含まれる。あるいは、コントローラ１０は、応答操作の受付時に実行中の処理に対応する着信への応答を決定する処理を実現する。
【００３６】
本出願において、コントローラ１０がプログラム（又は、アプリケーション）を起動する場合には、ストレージ９に記憶されているプログラムを新たに読み出してその処理を開始する場合と、既に読み出されているプログラムの処理を新たに開始する場合とが含まれる。本出願において、コントローラ１０がプログラムを実行する場合には、プログラムを起動する場合と、中断中のプログラムを再開する場合と、起動済のプログラムの処理を継続する場合とが含まれる。
【００３７】
図１においてストレージ９が記憶するプログラム及びデータの一部又は全部は、通信ユニット６による無線通信で他の装置からダウンロードされてもよい。図１においてストレージ９が記憶するプログラム及びデータの一部又は全部は、ストレージ９に含まれる読み取り装置が読み取り可能な非一過的な記憶媒体に記憶されていてもよい。非一過的な記憶媒体は、例えば、ＣＤ（登録商標）、ＤＶＤ（登録商標）、Ｂｌｕ−ｒａｙ（登録商標）等の光ディスク、光磁気ディスク、磁気記憶媒体、メモリカード、及びソリッドステート記憶媒体を含むが、これらに限定されない。
【００３８】
スピーカ１１は、音出力部である。スピーカ１１は、コントローラ１０から送信される音信号を音として出力する。スピーカ１１は、例えば、アラーム音、ポップアップ表示音、着信音、メール受信音、及び音楽を出力するために用いられる。レシーバ７及びスピーカ１１の一方が、他方の機能を兼ねてもよい。
【００３９】
カメラ１２は、撮影した画像を電気信号へ変換する。カメラ１２には、例えば、ディスプレイ２に面している物体を撮影するインカメラ、ディスプレイ２の反対側の面に面している物体を撮影するアウトカメラが含まれる。
【００４０】
姿勢検出ユニット１５は、携帯電話１Ａの姿勢を検出する。姿勢検出ユニット１５は、姿勢を検出するために、加速度センサ、方位センサ、及びジャイロスコープの少なくとも１つを備える。
【００４１】
バイブレータ１８は、携帯電話１Ａの一部又は全体を振動させる。バイブレータ１８は、振動を発生させるために、例えば、圧電素子、又は偏心モータなどを有する。バイブレータ１８による振動は、着信等の各種のイベントをユーザに報知するために用いられる。ランプ１９は、例えば、ＬＥＤ（Ｌｉｇｈｔ  Ｅｍｉｔｔｉｎｇ  Ｄｉｏｄｅ）であり、着信またはメール受信などのイベントの発生に応じて発光する。ランプ１９は、スピーカ１１からの音の出力、あるいはバイブレータ１８による振動と連動して発光してもよいし、スピーカ１１からの音の出力、あるいはバイブレータ１８による振動とは無関係に発光してもよい。
【００４２】
タッチスクリーン２１は、タッチスクリーン２１に対する接触を検出する。コントローラ１０（携帯電話１Ａ）は、タッチスクリーン２１によって検出される接触に基づいて、指、スタイラス、ペン等（以下、単に「指」という）を用いてタッチスクリーン２１に対して行われる各種操作（ジェスチャ）を検出する。例えば、タッチスクリーン２１は、タッチセンサを有する。タッチセンサは、タッチスクリーン２１への指の接触を、接触された場所のタッチスクリーン２１上での位置とともに検出し、コントローラ１０に通知する。コントローラ１０が、タッチスクリーン２１を介して検出する各種操作（ジェスチャ）には、例えば、タッチ、ロングタッチ、リリース、スワイプ、タップ、ダブルタップ、ロングタップ、ドラッグ、フリック、ピンチイン、及びピンチアウトが含まれるがこれらに限定されない。タッチスクリーン２１の検出方式は、静電容量方式、抵抗膜方式、表面弾性波方式（又は超音波方式）、赤外線方式、電磁誘導方式、及び荷重検出方式等の任意の方式でよい。図４に示すように、ディスプレイ２と、タッチスクリーン２１とは機能的には分離したものであるが、物理的にはタッチスクリーンディスプレイとして統合されていてよい。
【００４３】
図４に示した携帯電話１Ａの機能的な構成は例であり、本発明の要旨を損なわない範囲において適宜変更してよい。例えば、携帯電話１Ａは、照度センサ４、近接センサ５、姿勢検出ユニット１５、及びランプ１９などを備えなくてもよい。
【００４４】
図５〜図１０を参照して、携帯電話１Ａによる処理手順の一例を説明する。図５〜図１０は、実施形態に係る携帯電話による処理手順の一例を示す図である。図５〜図１０に示す処理手順は、コントローラ１０が、ストレージ９に記憶されている制御プログラム９Ａなどを実行することによって実現される。図５〜図１０に示す処理手順は、携帯電話１Ａの起動中、繰り返し実行される。図５〜図１０に示す処理手順は、少なくとも、携帯電話１Ａと携帯電話１Ｂとの間で近距離無線接続が確立されている状態で実行される。
【００４５】
図５は、自機（携帯電話１Ａ）に対する着信、及び携帯電話１Ｂに対する着信の通知を、音によりユーザに報知する処理手順の一例を示す。
【００４６】
図５に示すように、コントローラ１０は、ステップＳ１０１として、自機に対する着信及び携帯電話１Ｂに対する着信の通知が発生しているかどうかを判定する。コントローラ１０は、例えば、自機に対する着信時又は当該着信があってから一定時間内に、携帯電話１Ｂに対する着信の通知が発生した場合には、ステップＳ１０１の判定結果をＹｅｓとする。あるいは、コントローラ１０は、携帯電話１Ｂに対する着信の通知の発生時又は発生してから一定時間内に、自機に対する着信が発生した場合にも、ステップＳ１０１の判定結果をＹｅｓとする。携帯電話１Ｂに対する着信の通知が発生した場合とは、例えば、携帯電話１Ｂから転送される着信の信号を受信した場合に該当する。なお、自機に対する着信時又は当該着信があってから一定時間内とは、着信の信号を受信した時及び当該着信を報知している期間中を含む。また、携帯電話１Ｂに対する着信の通知の発生時又は発生してから一定時間内とは、転送される着信の信号を受信し、当該転送される着信を報知している期間中を含む。
【００４７】
コントローラ１０は、判定の結果、自機に対する着信及び携帯電話１Ｂに対する着信の通知が発生していない場合には（ステップＳ１０１、Ｎｏ）、図５に示す処理手順を終了する。すなわち、コントローラ１０は、図５に示す処理手順による報知ではなく、自機に対する着信に対応する通常の報知、又は携帯電話１Ｂに対する着信の通知に対応する通常の報知を実行する。
【００４８】
一方、コントローラ１０は、判定の結果、自機に対する着信及び携帯電話１Ｂに対する着信の通知が発生している場合には（ステップＳ１０１、Ｙｅｓ）、ステップＳ１０２の処理手順を実行する。つまり、コントローラ１０は、自機に対する着信に対応する音と、携帯電話１Ｂに対する着信の通知に対応する音とを、一定時間ごとに交互に出力する。
【００４９】
続いて、コントローラ１０は、ステップＳ１０３として、ユーザからの応答操作（オフフック）があるかどうかを判定する。応答操作（オフフック）は、ボタン３に対する操作でもよいし、ディスプレイ２に表示されているアイコンへのタッチ操作でもよい。
【００５０】
コントローラ１０は、判定の結果、応答操作があった場合には（ステップＳ１０３、Ｙｅｓ）、ステップＳ１０４として、応答操作の受付時に出力中の音に対応する着信に応答し、図５に示す処理手順を終了する。コントローラ１０は、自機に対する着信に対応する音を出力中であるときに、ユーザからの応答操作があった場合には、自機に対する着信に応答する。一方、コントローラ１０は、携帯電話１Ｂに対する着信の通知に対応する音を出力中であるときに、ユーザからの応答操作があった場合には、携帯電話１Ｂに対する着信に応答する。
【００５１】
ステップＳ１０３において、コントローラ１０は、判定の結果、応答操作がない場合には（ステップＳ１０３、Ｎｏ）、ステップＳ１０５として、自機に対する着信及び携帯電話１Ｂに対する着信の通知の少なくとも一方が終了しているかどうかを判定する。コントローラ１０は、判定の結果、自機に対する着信及び携帯電話１Ｂに対する着信の通知の少なくとも一方が終了していない場合（双方が続いている場合）には（ステップＳ１０５、Ｎｏ）、ステップＳ１０２の処理手順に戻る。
【００５２】
一方、コントローラ１０は、判定の結果、自機に対する着信及び携帯電話１Ｂに対する着信の通知の少なくとも一方が終了している場合には（ステップＳ１０５、Ｙｅｓ）、図５に示す処理手順を終了する。コントローラ１０は、例えば、自機に対する着信のみが終了している場合には、以後、携帯電話１Ｂに対する着信の通知に対応する音のみを出力する。コントローラ１０は、例えば、携帯電話１Ｂに対する着信の通知のみが終了している場合には、以後、自機に対する着信に対応する音のみを出力する。
【００５３】
図６は、自機に対する着信、及び携帯電話１Ｂに対する着信の通知を、振動によりユーザに報知する処理手順の一例を示す。
【００５４】
図６に示すように、コントローラ１０は、ステップＳ２０１として、自機に対する着信及び携帯電話１Ｂに対する着信の通知が発生しているかどうかを判定する。
【００５５】
コントローラ１０は、判定の結果、自機に対する着信及び携帯電話１Ｂに対する着信の通知が発生していない場合には（ステップＳ２０１、Ｎｏ）、図６に示す処理手順を終了する。
【００５６】
一方、コントローラ１０は、判定の結果、自機に対する着信及び携帯電話１Ｂに対する着信の通知が発生している場合には（ステップＳ２０１、Ｙｅｓ）、ステップＳ２０２の処理手順を実行する。つまり、コントローラ１０は、バイブレータ１８を制御し、自機に対する着信に対応する振動パターンによる振動と、携帯電話１Ｂに対する着信の通知に対応する振動パターンによる振動とを、一定時間ごとに交互に実行する。
【００５７】
続いて、コントローラ１０は、ステップＳ２０３として、ユーザからの応答操作があるかどうかを判定する。コントローラ１０は、判定の結果、応答操作があった場合には（ステップＳ２０３、Ｙｅｓ）、ステップＳ２０４として、応答操作の受付時に実行中の振動パターンに対応する着信に応答し、図６に示す処理手順を終了する。コントローラ１０は、自機に対する着信に対応する振動パターンによる振動を実行中であるときに、ユーザからの応答操作があった場合には、自機に対する着信に応答する。一方、コントローラ１０は、携帯電話１Ｂに対する着信の通知に対応する振動パターンによる振動を実行中であるときに、ユーザからの応答操作があった場合には、携帯電話１Ｂに対する着信に応答する。
【００５８】
ステップＳ２０３において、コントローラ１０は、判定の結果、応答操作がない場合には（ステップＳ２０３、Ｎｏ）、ステップＳ２０５として、自機に対する着信及び携帯電話１Ｂに対する着信の通知の少なくとも一方が終了しているかどうかを判定する。コントローラ１０は、判定の結果、自機に対する着信及び携帯電話１Ｂに対する着信の通知の少なくとも一方が終了していない場合には（ステップＳ２０５、Ｎｏ）、ステップＳ２０２の処理手順に戻る。
【００５９】
一方、コントローラ１０は、判定の結果、自機に対する着信及び携帯電話１Ｂに対する着信の通知の少なくとも一方が終了している場合には（ステップＳ２０５、Ｙｅｓ）、図６に示す処理手順を終了する。コントローラ１０は、例えば、自機に対する着信のみが終了している場合には、以後、携帯電話１Ｂに対する着信の通知に対応する振動パターンによる振動のみを実行する。コントローラ１０は、例えば、携帯電話１Ｂに対する着信の通知のみが終了している場合には、以後、自機に対する着信に対応する振動パターンによる振動のみを実行する。
【００６０】
図７は、自機に対する着信、及び携帯電話１Ｂに対する着信の通知を、音によりユーザに報知する処理手順の他の例を示す。
【００６１】
図７に示すように、コントローラ１０は、ステップＳ３０１として、自機に対する着信及び携帯電話１Ｂに対する着信の通知が発生しているかどうかを判定する。
【００６２】
コントローラ１０は、判定の結果、自機に対する着信及び携帯電話１Ｂに対する着信の通知が発生していない場合には（ステップＳ３０１、Ｎｏ）、図７に示す処理手順を終了する。
【００６３】
一方、コントローラ１０は、判定の結果、自機に対する着信及び携帯電話１Ｂに対する着信の通知が発生している場合には（ステップＳ３０１、Ｙｅｓ）、ステップＳ３０２の処理手順を実行する。つまり、コントローラ１０は、自機に対する着信に対応する音と、携帯電話１Ｂに対する着信の通知に対応する音とを合成して出力する。コントローラ１０は、自機に対する着信に対応する音と、携帯電話１Ｂに対する着信の通知に対応する音とを実際に合成するのでなく、予め用意されている合成音の音声ファイルを再生して出力してもよい。
【００６４】
続いて、コントローラ１０は、ステップＳ３０３として、ユーザからの応答操作があるかどうかを判定する。コントローラ１０は、判定の結果、応答操作があった場合には（ステップＳ３０３、Ｙｅｓ）、ステップＳ３０４として、応答操作の内容に対応する着信に応答し、図７に示す処理手順を終了する。上述した図５の処理手順では、自機に対する着信に対応する音と、携帯電話１Ｂに対する着信の通知に対応する音とを、一定時間ごとに交互に出力するので、応答操作の受付時に出力中の音に対応する着信に応答することができる。これに対して、図７の処理手順では、自機に対する着信に対応する音と、携帯電話１Ｂに対する着信の通知に対応する音とを合成して出力する。このため、図５の処理手順のように、応答操作の受付時に出力中の音に対応する着信に応答するという方法では、応答対象（自機に対する着信または携帯電話１Ｂに対する着信）を決定できない。そこで、図７に示す処理手順では、応答操作の内容に従って、自機に対する着信と、携帯電話１Ｂに対する着信のどちらに応答するかを決定する。
【００６５】
コントローラ１０は、ストレージ９に記憶されている応答関連データ９Ｚを参照して、応答操作の内容に従って、自機に対する着信と、携帯電話１Ｂに対する着信のどちらに応答するかを決定する。応答操作の内容には、例えば、所定のボタン操作、タッチジェスチャの種類などに該当する。所定のボタン操作には、ボタン３の押下時間、または単位時間当たりの押下回数などが含まれる。タッチジェスチャの種類には、タップ、タッチ、ロングタッチ、フリック、スワイプなどが含まれる。例えば、コントローラ１０は、応答関連データ９Ｚを参照して、ボタン３の押下時間が１秒未満である場合には、自機に対する着信に応答することを決定し、ボタン３の押下時間が１秒以上である場合には、携帯電話１Ｂに対する着信に応答する。あるいは、コントローラ１０は、ロングタッチを検出した場合には、自機に対する着信に応答することを決定し、フリックを検出した場合には、携帯電話１Ｂに対する着信に応答することを決定する。応答操作の内容と、応答対象（自機に対する着信または携帯電話１Ｂに対する着信）との組合せは、適宜変更することができる。
【００６６】
ステップＳ３０３において、コントローラ１０は、判定の結果、応答操作がない場合には（ステップＳ３０３、Ｎｏ）、ステップＳ３０５として、自機に対する着信及び携帯電話１Ｂに対する着信の通知の少なくとも一方が終了しているかどうかを判定する。コントローラ１０は、判定の結果、自機に対する着信及び携帯電話１Ｂに対する着信の通知の少なくとも一方が終了していない場合には（ステップＳ３０５、Ｎｏ）、ステップＳ３０２の処理手順に戻る。
【００６７】
一方、コントローラ１０は、判定の結果、自機に対する着信及び携帯電話１Ｂに対する着信の通知の少なくとも一方が終了している場合には（ステップＳ３０５、Ｙｅｓ）、図７に示す処理手順を終了する。コントローラ１０は、例えば、自機に対する着信のみが終了している場合には、以後、合成音ではなく、携帯電話１Ｂに対する着信の通知に対応する音のみを出力する。コントローラ１０は、例えば、携帯電話１Ｂに対する着信の通知のみが終了している場合には、以後、合成音ではなく、自機に対する着信に対応する音のみを出力する。
【００６８】
図８は、自機に対する着信、及び携帯電話１Ｂに対する着信の通知を、振動によりユーザに報知する処理手順の他の例を示す。
【００６９】
図８に示すように、コントローラ１０は、ステップＳ４０１として、自機に対する着信及び携帯電話１Ｂに対する着信の通知が発生しているかどうかを判定する。
【００７０】
コントローラ１０は、判定の結果、自機に対する着信及び携帯電話１Ｂに対する着信の通知が発生していない場合には（ステップＳ４０１、Ｎｏ）、図８に示す処理手順を終了する。
【００７１】
一方、コントローラ１０は、判定の結果、自機に対する着信及び携帯電話１Ｂに対する着信の通知が発生している場合には（ステップＳ４０１、Ｙｅｓ）、ステップＳ４０２の処理手順を実行する。つまり、コントローラ１０は、バイブレータ１８を制御し、自機に対する着信に対応する振動パターンと、携帯電話１Ｂに対する着信の通知に対応する振動パターンとを合成した振動パターンによる振動を実行する。
【００７２】
続いて、コントローラ１０は、ステップＳ４０３として、ユーザからの応答操作があるかどうかを判定する。コントローラ１０は、判定の結果、応答操作があった場合には（ステップＳ４０３、Ｙｅｓ）、ステップＳ４０４として、応答操作の内容に対応する着信に応答し、図８に示す処理手順を終了する。上述した図６の処理手順では、自機に対する着信に対応する振動パターンによる振動と、携帯電話１Ｂに対する着信の通知に対応する振動パターンによる振動とを、一定時間ごとに交互に実行するので、応答操作の受付時に実行中の振動パターンに対応する着信に応答することができる。これに対して、図８の処理手順では、自機に対する着信に対応する振動パターンと、携帯電話１Ｂに対する着信の通知に対応する振動パターンとを合成した振動パターンによる振動を実行する。このため、図６の処理手順のように、応答操作の受付時に実行中の振動パターンに対応する着信に応答するという方法では、応答対象（自機に対する着信または携帯電話１Ｂに対する着信）を決定できない。そこで、図８に示す処理手順では、応答操作の内容に従って、自機に対する着信と、携帯電話１Ｂに対する着信のどちらに応答するかを決定する。
【００７３】
コントローラ１０は、ストレージ９に記憶されている応答関連データ９Ｚを参照して、応答操作の内容に従って、自機に対する着信と、携帯電話１Ｂに対する着信のどちらに応答するかを決定する。応答操作の内容には、例えば、所定のボタン操作、タッチジェスチャの種類などに該当する。所定のボタン操作には、ボタン３の押下時間、または単位時間当たりの押下回数などが含まれる。タッチジェスチャの種類には、タップ、タッチ、ロングタッチ、フリック、スワイプなどが含まれる。例えば、コントローラ１０は、応答関連データ９Ｚを参照して、ボタン３の押下時間が１秒未満である場合には、自機に対する着信に応答することを決定し、ボタン３の押下時間が１秒以上である場合には、携帯電話１Ｂに対する着信に応答する。あるいは、コントローラ１０は、ロングタッチを検出した場合には、自機に対する着信に応答することを決定し、フリックを検出した場合には、携帯電話１Ｂに対する着信に応答することを決定する。応答操作の内容と、応答対象（自機に対する着信または携帯電話１Ｂに対する着信）との組合せは、適宜変更することができる。
【００７４】
ステップＳ４０３において、コントローラ１０は、判定の結果、応答操作がない場合には（ステップＳ４０３、Ｎｏ）、ステップＳ４０５として、自機に対する着信及び携帯電話１Ｂに対する着信の通知の少なくとも一方が終了しているかどうかを判定する。コントローラ１０は、判定の結果、自機に対する着信及び携帯電話１Ｂに対する着信の通知の少なくとも一方が終了していない場合には（ステップＳ４０５、Ｎｏ）、ステップＳ４０２の処理手順に戻る。
【００７５】
一方、コントローラ１０は、判定の結果、自機に対する着信及び携帯電話１Ｂに対する着信の通知の少なくとも一方が終了している場合には（ステップＳ４０５、Ｙｅｓ）、図８に示す処理手順を終了する。コントローラ１０は、例えば、自機に対する着信のみが終了している場合には、以後、合成振動パターンではなく、携帯電話１Ｂに対する着信の通知に対応する振動パターンによる振動のみを実行する。コントローラ１０は、例えば、携帯電話１Ｂに対する着信の通知のみが終了している場合には、以後、合成振動パターンではなく、自機に対する着信に対応する振動パターンによる振動のみを実行する。
【００７６】
図９は、自機に対する着信を音でユーザに報知し、携帯電話１Ｂに対する着信の通知を振動によりユーザに報知する処理手順の一例を示す。
【００７７】
図９に示すように、コントローラ１０は、ステップＳ５０１として、自機に対する着信及び携帯電話１Ｂに対する着信の通知が発生しているかどうかを判定する。
【００７８】
コントローラ１０は、判定の結果、自機に対する着信及び携帯電話１Ｂに対する着信の通知が発生していない場合には（ステップＳ５０１、Ｎｏ）、図９に示す処理手順を終了する。
【００７９】
一方、コントローラ１０は、判定の結果、自機に対する着信及び携帯電話１Ｂに対する着信の通知が発生している場合には（ステップＳ５０１、Ｙｅｓ）、ステップＳ５０２の処理手順を実行する。つまり、コントローラ１０は、自機に対する着信に対応する音の出力と、携帯電話１Ｂに対する着信の通知に対応する振動パターンによる振動とを、一定時間ごとに交互に実行する。
【００８０】
続いて、コントローラ１０は、ステップＳ５０３として、ユーザからの応答操作があるかどうかを判定する。コントローラ１０は、判定の結果、応答操作があった場合には（ステップＳ５０３、Ｙｅｓ）、ステップＳ５０４として、応答操作の受付時に実行中の処理に対応する着信への応答を決定し、図９に示す処理手順を終了する。コントローラ１０は、自機に対する着信に対応する音を出力しているときに、ユーザからの応答操作があった場合には、自機に対する着信に応答する。一方、コントローラ１０は、携帯電話１Ｂに対する着信の通知に対応する振動パターンによる振動を実行中であるときに、ユーザからの応答操作があった場合には、携帯電話１Ｂに対する着信に応答する。
【００８１】
ステップＳ５０３において、コントローラ１０は、判定の結果、応答操作がない場合には（ステップＳ５０３、Ｎｏ）、ステップＳ５０５として、自機に対する着信及び携帯電話１Ｂに対する着信の通知の少なくとも一方が終了しているかどうかを判定する。コントローラ１０は、判定の結果、自機に対する着信及び携帯電話１Ｂに対する着信の通知の少なくとも一方が終了していない場合には（ステップＳ５０５、Ｎｏ）、ステップＳ５０２の処理手順に戻る。
【００８２】
一方、コントローラ１０は、判定の結果、自機に対する着信及び携帯電話１Ｂに対する着信の通知の少なくとも一方が終了している場合には（ステップＳ５０５、Ｙｅｓ）、図９に示す処理手順を終了する。コントローラ１０は、例えば、自機に対する着信のみが終了している場合には、以後、携帯電話１Ｂに対する着信の通知に対応する振動パターンによる振動のみを実行する。コントローラ１０は、例えば、携帯電話１Ｂに対する着信の通知のみが終了している場合には、以後、自機に対する着信に対応する音の出力のみを実行する。
【００８３】
図１０は、図９に示す処理手順とは反対に、自機に対する着信を振動によりユーザに報知し、携帯電話１Ｂに対する着信の通知を音によりユーザに報知する処理手順の一例を示す。
【００８４】
図１０に示すように、コントローラ１０は、ステップＳ６０１として、自機に対する着信及び携帯電話１Ｂに対する着信の通知が発生しているかどうかを判定する。
【００８５】
コントローラ１０は、判定の結果、自機に対する着信及び携帯電話１Ｂに対する着信の通知が発生していない場合には（ステップＳ６０１、Ｎｏ）、図１０に示す処理手順を終了する。
【００８６】
一方、コントローラ１０は、判定の結果、自機に対する着信及び携帯電話１Ｂに対する着信の通知が発生している場合には（ステップＳ６０１、Ｙｅｓ）、ステップＳ６０２の処理手順を実行する。つまり、コントローラ１０は、自機に対する着信に対応する振動パターンによる振動と、携帯電話１Ｂに対する着信の通知に対応する音の出力とを、一定時間ごとに交互に実行する。
【００８７】
続いて、コントローラ１０は、ステップＳ６０３として、ユーザからの応答操作があるかどうかを判定する。コントローラ１０は、判定の結果、応答操作があった場合には（ステップＳ６０３、Ｙｅｓ）、ステップＳ６０４として、応答操作の受付時に実行中の処理に対応する着信への応答を決定し、図１０に示す処理手順を終了する。コントローラ１０は、自機に対する着信に対応する振動パターンによる振動を実行しているときに、ユーザからの応答操作があった場合には、自機に対する着信に応答する。一方、コントローラ１０は、携帯電話１Ｂに対する着信の通知に対応する音を出力しているときに、ユーザからの応答操作があった場合には、携帯電話１Ｂに対する着信に応答する。
【００８８】
ステップＳ６０３において、コントローラ１０は、判定の結果、応答操作がない場合には（ステップＳ６０３、Ｎｏ）、ステップＳ６０５として、自機に対する着信及び携帯電話１Ｂに対する着信の通知の少なくとも一方が終了しているかどうかを判定する。コントローラ１０は、判定の結果、自機に対する着信及び携帯電話１Ｂに対する着信の通知の少なくとも一方が終了していない場合には（ステップＳ６０５、Ｎｏ）、ステップＳ６０２の処理手順に戻る。
【００８９】
一方、コントローラ１０は、判定の結果、自機に対する着信及び携帯電話１Ｂに対する着信の通知の少なくとも一方が終了している場合には（ステップＳ６０５、Ｙｅｓ）、図１０に示す処理手順を終了する。コントローラ１０は、例えば、自機に対する着信のみが終了している場合には、以後、携帯電話１Ｂに対する着信の通知に対応する振動パターンによる振動のみを実行する。コントローラ１０は、例えば、携帯電話１Ｂに対する着信の通知のみが終了している場合には、以後、自機に対する着信に対応する音の出力のみを実行する。
【００９０】
（その他の実施形態）
上記の実施形態において、携帯電話１Ａは、自機に対する着信及び携帯電話１Ｂに対する着信の通知が発生した場合に、自機に対する着信、又は携帯電話１Ｂに対する着信の通知のいずれか一方を優先して、ユーザに報知してもよい。
【００９１】
上記の実施形態において、携帯電話１Ａは、自機に対する着信及び携帯電話１Ｂに対する着信の通知が発生した場合に、音および振動を用いて、ユーザに報知する例を説明したが、これには限定されない。例えば、携帯電話１Ａは、ランプ１９の点灯のさせ方を変更することにより、自機に対する着信及び携帯電話１Ｂに対する着信の通知が発生したことをユーザに報知してもよい。ランプ１９の点滅速度を変更したり、ランプ１９の点灯色を変更したりすることにより、通常の着信と、自機に対する着信及び携帯電話１Ｂに対する着信の通知が発生したこととを区別してユーザに報知することができる。あるいは、携帯電話１Ａは、ランプ１９の点灯と、音の出力と、振動とを組合せて利用することにより、場合に、通常の着信と、自機に対する着信及び携帯電話１Ｂに対する着信の通知が発生したこととを区別してユーザに報知することもできる。
【００９２】
上記の実施形態において、携帯電話１Ａにおいて通話の実行中に、携帯電話１Ｂに対する着信があった場合には、携帯電話１Ｂに着信の履歴を残しておき、携帯電話１Ａの通話終了後、着信の履歴を携帯電話１Ａに送信するようにしてもよい。
【００９３】
上記の実施形態では、添付の請求項に係る装置の例として、携帯電話について説明したが、添付の請求項に係る装置は、携帯電話に限定されない。添付の請求項に係る装置は、転送された着信を受信可能な機器であればよい。着信を転送可能な機器には、例えば、据え置き型の電話機、ファクシミリ、モデムが搭載されたパソコンなどがある。
【００９４】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成により具現化されるべきである。
【符号の説明】
【００９５】
１Ａ，１Ｂ  携帯電話
２  ディスプレイ
３  ボタン
４  照度センサ
５  近接センサ
６ａ，６ｂ  通信ユニット
７  レシーバ
８  マイク
９  ストレージ
９Ａ  制御プログラム
９Ｂ  通話アプリケーション
９Ｃ  メールアプリケーション
９Ｙ  報知関連データ
９Ｚ  応答関連データ
１０  コントローラ
１１  スピーカ
１２  カメラ
１５  姿勢検出ユニット
１８  バイブレータ
１９  ランプ
１００  基地局
【図１】
2014072757.tif 000003
【図２】
2014072757.tif 000004
【図３】
2014072757.tif 000005
【図４】
2014072757.tif 000006
【図５】
2014072757.tif 000007
【図６】
2014072757.tif 000008
【図７】
2014072757.tif 000009
【図８】
2014072757.tif 000010
【図９】
2014072757.tif 000011
【図１０】
2014072757.tif 000012